(57)【特許請求の範囲】
【請求項１】
躯体上に保持部材を介して外装材を敷設し、外装材敷設面に開口部を形成する外装構造において、
外装構造は、外装材の立ち上げ部と保持部材間に第一の空間を形成し、外装材の面板部と躯体上面間に第二の空間を形成し、底部と起立部と開口部とを備える下層材を、前記第一の空間に起立部を位置させ、前記第二の空間に底部を位置させて配し、
前記下層材上に、下層材とのスライド機構を介して被覆外装材を配し、下層材の開口部を覆った状態から被覆用外装材をスライドさせて外装材裏面と下層材間の収納空間内に位置できることを特徴とする開口部構造。
【請求項２】
下層材は、排水手段を有することを特徴とする請求項１に記載の開口部構造。
【請求項３】
被覆外装材、下層材の少なくとも一方は透光材であることを特徴とする請求項１又は２に記載の開口部構造。
【請求項４】
開口部は、周辺に起立片を設けたことを特徴とする請求項１〜３の何れか一項に記載の開口部構造。
【発明の詳細な説明】
【技術分野】
【０００１】
本発明は、容易に開口部を解放させて作業者が屋根上に出ることができ、屋根上に付設した各種のシステムを点検したり、或いは換気を行うことができ、さらに開口部周辺からの雨水の浸入をも防ぎ、採光構造にも適用できる開口部構造に関する。
【背景技術】
【０００２】
従来、折板や縦葺き等で構築された建築物の屋根の点検（漏水や樋の点検）するには、予め設けられた点検口や換気や採光のハッチから屋根上に出たり、軒先等にはしごをかけて屋根にあがるのが一般的である。
また、近年の屋根面には、前記採光部以外にも、例えば太陽電池モジュールを付帯したソーラーシステムや緑化構造などが導入される場合もあり、これらの屋根面上の高機能システムの定期的な点検、或いは地震、台風、災害等が起こった場合の点検は、極めて重要な保全作業である。
【発明の概要】
【発明が解決しようとする課題】
【０００３】
しかし、屋根面に予めハッチ等を設備を設置する場合、その多くは屋根面から突出状の枠体が設置されるため、屋根面を流下する雨水が当該設備にてせき止めることがないように周辺等の納め等に十分な配慮が必要になる。
さらに、上記のような設備の設置にあっては、屋根面から上方へ突出するため、屋根全体としての意匠性を損なうという問題もあった。
また、屋根にはしごをかけて上る場合、極めて不安定な作業になるとともに、作業者も複数で行う必要がある。また、特に折板は倉庫等の大型建築物になることが多く、その軒先にはしごをかけて上ることは、危険であるとともに軒先の破損も生じやすい。
【０００４】
そこで、本発明は、容易に開口部を解放させて作業者が屋根上に出ることができ、屋根上に付設した各種のシステムを点検したり、或いは換気を行うことができ、さらに開口部周辺からの雨水の浸入をも防ぎ、採光構造にも適用できる開口部構造を提案することを目的とする。
【課題を解決するための手段】
【０００５】
本発明は、上記に鑑み提案されたものであって、躯体上に保持部材を介して外装材を敷設し、外装材敷設面に開口部を形成する外装構造において、外装構造は、外装材の立ち上げ部と保持部材間に第一の空間を形成し、外装材の面板部と躯体上面間に第二の空間を形成し、底部と起立部と開口部とを備える下層材を、前記第一の空間に起立部を位置させ、前記第二の空間に底部を位置させて配し、前記下層材上に、下層材とのスライド機構を介して被覆外装材を配し、下層材の開口部を覆った状態から被覆用外装材をスライドさせて外装材裏面と下層材間の収納空間内に位置できることを特徴とする開口部構造に関するものである。
【０００６】
また、本発明は、前記開口部構造において、下層材は、排水手段を有することを特徴とする開口部構造をも提案する。
【０００７】
また、本発明は、前記開口部構造において、被覆外装材、下層材の少なくとも一方は透光材であることを特徴とする開口部構造をも提案する。
【０００８】
また、本発明は、開口部は、周辺に起立片を設けたことを特徴とする開口部構造をも提案する。
【発明の効果】
【０００９】
本発明の開口部構造は、通常時は、下層材に設けた開口部を被覆外装材で覆っているため、該開口部から雨水が浸入することもなく、点検や修理等の目的で作業者が屋外（屋根面上）へ出る場合や排煙等の換気をする場合に際して容易に被覆外装材をスライドさせて開口部を解放することができる。
５また、被覆外装材は、スライドさせて外装材裏面の収納空間へ位置させることができ、開口部を解放する操作を容易に実施できる。
さらに、仮に被覆外装材の端縁などから裏面側へ雨水が浸入したとしても、略樋状の断面構造を有する下層材が捨板（排水部材）の役割を果たし、雨水を確実に水下側へ流下させることができる。
そして、本発明は、屋根面に付設した太陽電池モジュールを付帯したソーラーシステムやトップライト等の採光部の点検や補修等を容易に行うことができ、特に近年、付設が盛んなソーラーシステムの定期点検及び保全に好適に利用することができる。
【００１０】
また、下層材は、排水手段を有する場合、雨水を集めて軒先まで導いて排水してもよいし、軒先以外から排水するようにしてもよい。
【００１１】
また、被覆外装材、下層材の少なくとも一方が透光材である場合、開口部を閉塞した状態でも被覆外装材を通して太陽光を取り入れることができるため、採光部としても機能させることができ、室内の照明費用の削減に貢献するものとなる。
【００１２】
さらに、開口部の周辺に起立片を設けた場合、侵入水が開口部から落下することがなく水下側へ流下させることができる。
【図面の簡単な説明】
【００１３】
【図１】（ａ）本発明の開口部構造の一実施例（第１実施例）を構成する被覆外装材を示す斜視図、（ｂ）下層材を示す斜視図、（ｃ）下層材の開口部に被覆外装材を組み付けた状態を示す斜視図である。
【図２】（ａ）第１実施例における被覆外装材を示す底面図、（ｂ）その側面図、（ｃ）その正面図である。
【図３】（ａ）第１実施例における下層材を示す平面図、（ｂ）その側面図、（ｃ）その正面図である。
【図４】（ａ）第１実施例における被覆外装材をスライドさせて開口部を解放した状態を示す斜視図、（ｂ）開口部を被覆外装材にて覆った状態を示す斜視図である。
【図５】（ａ）第１実施例における被覆外装材をスライドさせて開口部を解放した状態を示す側面図、（ｂ）開口部を被覆外装材にて覆った状態を示す側面図である。
【図６】（ａ）第１実施例の開口部構造を用いた外装構造の要部を示す正面図、（ｂ）用いた保持部材（取付部材）の正面図、（ｃ）保持部材（取付部材）を構造材に取り付ける状況を示す斜視図である。
【図７】（ａ）開口部を被覆外装材にて覆った状態を示す開口部構造（第２実施例）の斜視図、（ｂ）開口部を被覆外装材にて覆った状態を示す開口部構造（第３実施例）の斜視図である。
【図８】（ａ）第３実施例における下層材の開口部に被覆外装材を組み付けた状態を示す平面図、（ｂ）その開口部構造を用いた外装構造の側面図、（ｃ）比較のために示した第１実施例の下層材の側面図である。
【図９】第３実施例の開口部構造を用いた外装構造の要部を示す正面図である。
【図１０】（ａ）第４実施例の外装構造を示す正面図、（ｂ）第５実施例の外装構造を示す正面図、（ｃ）比較のために示した第１実施例の外装構造を示す正面図である。
【発明を実施するための形態】
【００１４】
本発明の開口部構造は、外装材の裏面側に開口部を備える下層材を配し、前記開口部を被覆外装材にて覆う構成であり、前記下層材は底部と起立部を備え、該下層材上を、前記被覆外装材をスライド機構にてスライドさせて外装材裏面の収納空間内に位置させることにより、開口部が解放される。
【００１５】
前記下層材は、底部と起立部を備える略樋状の断面構造を有する部材であって、捨板（排水部材）の役割を果たし、後述する被覆外装材をスライドさせるスライド機構の受部が設けられる部材である。
前記スライド機構は、この下層材に設けても後述する被覆外装材に設けても双方に適宜に分担させて設けてもよく、手動であっても電動であってもよく、手動についても取っ手（把持部）等を被覆外装材に設けるものでも、チェーン等の公知の機構を用いるものでもよい。
底部には、スライドさせるストロークの一端と他端の表面側にそれぞれ被覆外装材の端縁を受け止めてそれ以上のスライドを規制するストッパ材を設けてもよい。
また、その底部に設けられる開口部は、目的に応じて適宜に形成され、開口部を点検口等として作業者が屋外（屋根面上）へ出る場合には、作業者が通過できる大きさに形成すればよい。また、この開口部は、周辺に起立片を設けることが望ましく、浸入水が開口部から落下することを防止できる。この起立片としては、開口部周辺を切り起こしたものでも、別部材を配したものでもよく、後述する図示実施例のＬ字材をスポット溶接した太陽に限定するものではない。
また、前記起立部は、底部の側辺を立ち上げたものでも、別途部材を取り付けたものでもよい。
そして、このような下層材は、後述する通常の外装材と同様の材料（金属等）からなるものでも、透明、乳白色等の透光材（樹脂等）であってもよい。
【００１６】
このような下層材の配設に関し、前記外装材の立ち上げ部と保持部材間に第一の空間を形成し、外装材の面板部と躯体上面間に第二の空間を形成し、前記第一の空間に下層材の起立部を位置させ、前記第二の空間に下層材の底部を位置させるように配設する。したがって、新設ではどのように施工することも可能であるが、既設の屋根構造に、本発明を適用する場合には、上記の第一の空間及び第二の空間を有していることが条件として望ましい。
【００１７】
前記被覆外装材は、スライド機構にて前記下層材上をスライド可能な部材であって、そのスライドにより、前記下層材の開口部の開閉を行う部材である。即ち、この被覆外装材は、通常時は、前記下層材の開口部を覆う位置に配設されるが、開口部を解放する際は、前記下層材上をスライドさせ、後述する外装材裏面と下層材表面間の収納空間内に位置させる。
この被覆外装材は、前記下層材の開口部を覆った状態では、後述する通常の外装材と同様の機能を求められるので、後述する図示実施例のように、その水上側の端縁は、水上側の外装材の水下側の端縁の裏面側に沿う断面形状を備えることが望ましい。
そして、この被覆外装材は、後述する通常の外装材と同様の材料（金属等）からなるものでも、透明、乳白色等の透光材であってもよく、透光材にて形成する場合には、開口部を覆った状態でもトップライト（採光部）として使用できる。
【００１８】
前記外装材（被覆外装材でない通常の外装材）は、面板部の左右側縁を立ち上げた成形部を有する立ち上げ部を左右に設けた構成であり、各部位の構成やそれ以外の構成は特に限定するものではない。
この縦葺き外装材は、代表的には概ね０．４〜１．６ｍｍ程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。これらは殆ど長尺なコイル状形態で供給される。そして、上記各種の長尺なコイル状の金属材料を定尺切断したり、左右の側縁にはロール成形等により成形が施される。
【００１９】
前記外装材を保持する保持部材は、型鋼等からなる躯体に外装材を敷設するために用いるものであって、特にその具体的な構成を特定するものではなく、前述のように外装材の立ち上げ部とこの保持部材間に第一の空間を形成し、該第一の空間に前記下層材の起立部を位置させるものであればよい。そして、この保持部材としては、単一部材でも複数部材からなるものでもよく、躯体への取付方法も図示実施例に限定されるものではない。また、前記第一の空間の形状についても、特に限定するものではなく、どのような形状でもよい。
また、取付対象の躯体である型鋼は、主に母屋、梁等に用いられているＬ型鋼，Ｈ型鋼、リップ溝形鋼、チャンネル鋼等の実際に用いられているものであればよい。また、躯体は、新設されたものでも、既存の外装材を撤去した状態の型鋼であってもよい。
【００２０】
これらの各部材から構成される本発明の開口部構造は、通常時は、下層材に設けた開口部を被覆外装材で覆っているため、該開口部から雨水が浸入することもなく、点検や修理等の目的で作業者が屋外（屋根面上）へ出る場合や排煙等の換気をする場合に際して容易に被覆外装材をスライドさせて開口部を解放することができる。
また、被覆外装材は、スライドさせて外装材裏面の収納空間へ位置させることができ、開口部を解放する操作を容易に実施できる。
さらに、仮に被覆外装材の端縁などから裏面側へ雨水が浸入したとしても、略樋状の断面構造を有する下層材が捨板（排水部材）の役割を果たし、雨水を確実に水下側へ流下させることができる。
【００２１】
また、後述する図示実施例（図１〜６）のように外装材の軒先に下層材を配して軒先付近に開口部を形成する場合には、外装材を敷設しない箇所を作ってその水下側に下層材を延設すればよいため、この場合の開口部構造は極めて簡易な構造とすることができる。
【００２２】
なお、前記開口部構造を設ける位置は、上述の外装面の軒先に限定するものではなく、後述する図７（ａ）及び（ｂ）の図示実施例のように中程に設けてもよい。
この場合、下層材（及び被覆外装材）の水上側にも水下側にも外装材が配置される構成となり、前述のように水上側に隣接する外装材の面板部と躯体上面との間に下層材の底部を位置させるが、図７（ａ）に示すように水下側にも同じ外装材を敷設して接続するようにしてもよいし、図７（ｂ）に示すように水下側の外装材として断面形状がひとまわり小さい特殊外装材を用いることにより、被覆外装材の裏面側の位置させるようにしてもよい。
【００２３】
また、被覆外装材が透光材である場合には、開口部を閉塞した状態でも被覆外装材を通して太陽光を取り入れることができるため、採光部としても機能させることができ、室内の照明費用の削減に貢献することができる。
【００２４】
さらに、本発明は、外装材敷設面に開口部を形成した構成であるため、屋根面に付設した太陽電池モジュールを付帯したソーラーシステムやトップライト等の採光部の点検や補修等を容易に行うことができ、特にソーラーシステムの定期点検及び保全に好適に利用することができる。その他、屋根面に付帯させる（取り付けられる）設備（外設部材）としては、雪止め金具、避雷針、アンテナなどでもよい。
【実施例】
【００２５】
図１（ｃ）、図４、図５、図６（ａ）に示す本発明の開口部構造の第１実施例は、外装材３の裏面側に開口部１３を備える下層材１を配し、前記開口部１３を被覆外装材（以下、単に被覆材という）２にて覆う構成であり、下層材１上を被覆材２がスライド機構Ａにてスライド可能に組み付けられている。なお、図１〜図５では外装材３を省略した。
【００２６】
前記下層材１は、図１（ｂ）及び図３に示すように、略平坦状の底部１１の左右の側縁を略鉛直状に立ち上げて起立部１２，１２を形成した略樋状であって、前記底部１１の略中央には、水上側（図では右奥側）が尖った五角形状の開口部１３が設けられ、その開口縁に沿って上方へ向かう水返し片１１１が周設されている。
また、前記底部１１の水上側（図では右奥側）の中央上面には略Ｌ字状のストッパ材１１２が取り付けられ、開口部１３の解放時に被覆材２の水上側の端縁を受け止める。一方、前記底部１１の水下側（図では左手前側）の左右上面には略三角形状のストッパ材１１３、１１３が取り付けられ、開口部１３の水下側の水返し片１１１の裏面側には、略Ｌ字状のストッパ材１１４が取り付けられ、開口部１３の閉塞時に被覆材２の左右の円板２４の軸受部材、取っ手２３を受け止める。さらに、前記開口部１３の水上側の水返し片１１１の裏面側には、図３（ｂ）及び図５（ａ），（ｂ）に示すように略Ｌ字状のストッパ材１１５が取り付けられ、開口部１３の解放時に被覆材２の取っ手２３を受け止める。このように各ストッパ１１２〜１１５は、それ以上のスライドを規制する部材である。
また、前記起立部１２，１２の高さの中程の内側には、それぞれ断面コ字状のレール材１４，１４が解放（開口）部を内側に向けて長さ方向に亘ってスライド機構Ａの受部として取り付けられている。
【００２７】
前記被覆材２は、図１（ａ）及び図２に示すように、スライド機構Ａにて前記下層材１上をスライドする部材であり、前記下層材１の開口部１３の開閉を行う部材である。即ちこの被覆材２は、通常時は図２（ｂ）に示すように前記下層材１の開口部１３を覆う位置に配設され、開口部１３を解放する際は、図４（ａ）に示すように前記下層材１上をスライドさせ、外装材３裏面と下層材１表面間の収納空間１５内に位置させる。
図示実施例の被覆材２は、開口部１３を覆う平板部２１の左右側縁が上方に向かって立ち上げて側縁部２２を形成した形状であって、図６（ａ）に示すように外装材３の面板部３１及び立ち上がり部３２と略相似状の断面形状を有し、その水上側の端縁が、水上側の外装材３の水下側の端縁の裏面側に密接状に沿うものとした。
また、前記平板部２１の水下側（図では左手前側）の裏面には、断面略Ｚ字状の取っ手（把持部）２３が設けられ、側縁部２２，２２の外側には、左右にそれぞれ２箇所（合計４箇所）に回転自在に取り付けられた円板２４，２４が、スライド機構Ａの駆動部（駆動輪）として取り付けられている。
【００２８】
前記スライド機構Ａは、前記下層材１の左右のレール材１４，１４に、前記被覆材２の左右合計４つの円板２４，２４が嵌め込まれた構成であって、被覆材２の裏面に設けた取っ手２３を把持して手動にて滑らかにスライドさせることができる。この被覆材２は、図５（ａ）に示す開口部１３の閉塞時には取っ手２３がストッパ１１４に沿い、図５（ｂ）に示す開口部１３の解放時には取っ手２３がストッパ１１５に沿うので、結局取っ手２３がストッパ１１４，１１５間を往復スライドできる構造になっている。
また、前述のように図示実施例では、水上側の上面にストッパ材１１２が設けられ、開口部１３の水上側下面にストッパ１１５が設けられ、それぞれ開口部１３を解放する際にそれ以上のスライドを規制し、これに対し、水下側にも上面側と下面側に二種のストッパ材１１３，１１４が設けられ、開口部１３を閉塞する際にそれ以上のスライドを安定に且つ確実に規制する構成である。
【００２９】
この第１実施例における外装材３は、図６（ａ）に示すように金属板をロール成形にて加工した長尺材で、略平坦状の面板部３１の左右側縁を立ち上げた成形部を有する立ち上がり部３２を左右に設けた略逆梯形状で、左右の立ち上がり部３２の高さの途中に係合部３２１が形成され、立ち上がり部３２の先端付近には保持部材４の保持部４１の上縁に裏面を支持される載置部分３２２を介して上方が解放する断面略Ｕ字状の溝部３２３が形成されている。なお、前記成形部とは、この第１実施例では係合部３２１、載置部分３２２、及び溝部３２３を指す。
また、前記係合部３２１は、後述する保持部材４の保持部４１（被係合部４１３）に弾性的に係合するものであり、前記載置部分３２２は受部分４１２に支持され、前記溝部３２３は受溝部４１１に弾性的に嵌合するものである。
【００３０】
前記外装材３を取り付けるための保持部材４は、電動工具を使用することなく付勢によって取り付けることができ、上端に略扇状の保持部４１が設けられ、該保持部４１の上端中央に上端が開口する受溝部４１１を設けると共に、前記保持部４１の上端から前後方向（流れ方向）に延在する受部分４１２を設けた構成である。また、この保持部４１の左右の張り出し部分の基端下方の隅部空間が前記外装材３の係合部３２１が係合する被係合部４１３である。
【００３１】
図６（ａ）の外装構造に用いられた前記保持部材４は、一般にタイトフレームと称される帯状鋼材を折り曲げ加工してなる門型状のフレームとは異なり、近年特許出願（特願２０１０−９６８８５号）した部材であって、ボルトやナット等の締め込みが不要であり、構造材に簡易かつ迅速に取り付けることができる取付部材を用いた。
この取付部材（保持部材）４は、図６（ｂ），（ｃ）に示すようにフレーム材４Ａと固定材４Ｂとからなる。前記フレーム材４Ａは、組付状態において構造材６上に起立する中空箱状（起立部４２）であり、構造材６に係止する構成（第１取付部４３）と、固定材４Ｂを係合させる構成（被係合部４４）を有する部材である。前記固定材４Ｂは、差し込み横片状（添接片４５）であって、構造材６に係止する構成（第２取付部４６）と、組付状態において前記フレーム材４Ａに前方から挿着状に臨ませて係合させる構成（係合部４７）を有する部材である。そして、図６（ｃ）にハッチング矢印で示すように、固定材４Ｂを差し込みつつ固定材４Ｂの係合部４７を付勢する（係合部４７から延在する押し下げ部分４８を下方へ押し下げる）ことでフレーム材４Ａの第１取付部４３、固定材４Ｂの第２取付部４６の何れかが引き寄せられると共に、被係合部４４に係合部４７が係合することで位置規制（付勢状態を維持する）することができ、図６（ｂ）に示す組み付け状態を得ることができる。
【００３２】
なお、前記外装材３の立ち上げ部３２と保持部材４間には、図６（ａ）に示すように第一の空間３３が形成され、外装材３の面板部３１と躯体６上面間には第二の空間３４が形成されている。
前記構成の下層材１の配設は、前記第一の空間３３に起立部１２を位置させ、前記第二の空間３４に底部１１を位置させるように配設する。
【００３３】
また、隣接する外装材３，３間には、キャップ材５が取り付けられて外装面を構築しているが、このキャップ材５は、図６（ａ）に示すように、略傘状の覆い部５１の左右側縁に前記係合部３２１の裏面側に嵌合する嵌合保持部５２，５２を備える構成である。
【００３４】
このような構成を有する本発明の開口部構造は、通常時は、図４（ａ）及び図５（ａ）に示すように下層材１に設けた開口部１３を被覆材２で覆っているため、該開口部１３から雨水が浸入することもなく、点検や修理等の目的で作業者が屋外（屋根面上）へ出る際には、図４（ｂ）及び図５（ｂ）に示すように容易に被覆材２の取っ手２３を把持してスライド機構Ａにてスライドさせて開口部１３を解放することができる。
【００３５】
また、開口部１３を開閉するためのスライド機構Ａによるスライドは、前述のように左右のレール材１４，１４に、前記被覆材２の左右合計４つの円板２４，２４を嵌め込んだ構成であって、水上側にも水下側にもそれぞれストッパ材１１２〜１１４を設けて被覆材２の動きを規制するようにしたので、簡易な構成であり、実用的価値が高いものである。
【００３６】
さらに、前述のように水上側が尖った五角形状の開口部１３とし、さらにその開口縁に沿って水返し片１１１を周設したので、水上側から下層材１の底部１１に雨水が流れてきたとしても、雨水は開口部１３の周縁の水返し片１１１に沿って流れ、開口部１３から落下することがない。
【００３７】
また、開口部１３を解放する際に、被覆材２は、スライドさせて外装材裏面の収納空間１５へ位置させるようにしたので、開口部１３を解放する操作を容易に実施できる。
【００３８】
また、この第１実施例の下層材１の水下側に、図示しない軒樋等の部材を配して軒先構造とした場合には、軒先付近に開口部１３が形成される構造となり、外装材３を敷設しない箇所を作ってその水下側に下層材１を延設すればよいため、この開口部構造は極めて簡易な構造となる。
【００３９】
また、前記被覆材２は、金属等の非透光材でもポリカーボネート等の透光材でもよく、後者の場合には、開口部１３を閉塞した状態でも被覆材２（の平板部２１）を通して太陽光を取り入れることができ、採光部としても機能し、室内の照明費用の削減に貢献する。
【００４０】
さらに、図６の外装構造は、屋根面に前記開口部構造を備える構成であるため、屋根面に図示しないソーラーシステムやトップライト等の点検や補修等を容易に行うことができる。
【００４１】
図７（ａ）に示す第２実施例の外装構造は、前記第１実施例の下層材１の水下側に、前記外装材３と全く同じ外装材３を重合状に敷設した構成であって、この例では、水上側に隣接する外装材３も水下側に隣接する外装材３も、下層材１の上面に配置されている。そのため前記第１実施例の図４（ａ）の水下側（図では左手前側）に、新たな外装材３を接続して施工した図となっている。
【００４２】
そのため、この第２実施例では、水下側の外装材３と下層材１の重合部分に、周縁に水切りを配設したり、シール材を配してもよい。
【００４３】
図７（ｂ）、図８（ａ），（ｂ）に示す第３実施例の開口部構造は、前記第１実施例の水下側に、断面形状が前記外装材３よりひとまわり小さい特殊外装材（以下、単に特殊材という）７を重合状に敷設した構成であって、この例では、被覆材２の水下側が特殊材７の水上側に重合するように配置されている。
この第３実施例における前記特殊材７は、前述のように断面形状が前記外装材３よりひとまわり小さく形成され、平板部７１の左右側縁が上方に向かって立ち上げて側縁部７２を形成した形状である。
また、この第３実施例における下層材１'は、比較のため図８（ｃ）にも示した前記下層材１の開口部１３の水下側が溝部（排水部）１６，１６を延在したものであり、切り欠きによって設けられるものであってもよいし、別部材からなる排水部材を取り付けるものでもよく、侵入水を円滑に排水することができる。
【００４４】
この第３実施例を用いた図９の外装構造では、水上側から順に、外装材３−被覆材２−特殊材７が重なっているため、実質的にはその接続部分にシール材を必要としない。
また、この第３実施例における下層材１'には、溝部１６，１６を設けたので、殆どの雨水は前述のように外装材３から被覆材２、被覆材２から特殊材７と流下するが、被覆材２の裏面に回り込む雨水があったとしても、左右の溝部１６，１６に導かれ、水下側（軒先）まで流下される。なお、前記第１実施例を示す図６に、起立部１２に近接して流れ方向に連続するＬ字材１８を固定したが、該Ｌ字材１８と起立部１２間に上記溝部１６と同様な溝部を形成でき、この場合、底部１１の中央付近を削除するようにしてもよい。
さらに、この第３実施例に用いた下層材１'には、開口部１３の水下側に更なる開口部分を設けたので、その開口部分を覆う前記特殊材７がポリカーボネート等の透光材である場合には、前記被覆材２が透光材である場合と同様の効果を得ることができる。即ち開口部分を前記特殊材７が閉塞した状態で、特殊材７'（の平板部７１）を通して太陽光を取り入れることができ、採光部としても機能し、室内の照明費用の削減に貢献する。
また、特殊材７の側縁部７２は、保持部材４の上端に係止する構成としたので、取付安定性が高いものである。
【００４５】
図１０（ａ）及び図１０（ｂ）は、前記開口部構造を他の外装構造に適用した第４実施例、第５実施例であり、前記第１実施例と同様に第一の空間３３と第二の空間３４を備えるので、本発明の開口部構造を適用できる。なお、図１０（ｃ）に前記第１実施例の外装構造を比較のために掲載した。
【００４６】
図１０（ａ）の外装構造は、外装材３'が前記第１〜３実施例の外装材３に比べて立ち上がり部３２"の長さが長く、凹凸の深さが深い外装構造を構築するものであり、保持部材は、Ｃ形鋼上に角鋼を取り付けた下部保持部材８Ｂに、前記第１実施例における保持部４１とほぼ同様の構成を有する略扇状の上部保持部材８Ａを固定した構成である。
そして、この第４実施例では、前記第１実施例に比べて起立部１２"が高い下層材１"、側縁部２２'が高い被覆材２'、及び側縁部７２'が高い特殊材７'を用いたが、それ以外の構成は殆ど前記第１実施例と同様であり、同様の効果、作用を奏することができる。
【００４７】
図１０（ｂ）の外装構造は、外装材３"が前記１〜４実施例の外装材３，３'のように保持部材に嵌合保持されるものではなく、その立ち上がり部３２"，３２"の上端同士を重合させてカシメて接続する構成であり、保持部材は、前記下部保持部材８Ｂに、両肩に被係合部を形成した上部保持部材５Ｃを固定した構成である。
そして、この第５実施例では、被覆材２"の側縁部２２"の上端が下層材１"の起立部１２"の上端に係止するようにした。また、外装材３"，３"の上端が最上端に位置する構成であるため、補強材９を固定具９１にて固定し、カシメ部分を保護する構成としている。なお、固定具９１は、被覆材２"のスライドを阻止しないように、下層材１"や被覆材２"や特殊材７"が配置されない側（図面では中央を除く右端及び左端）にのみ固定した。このような補強材９を配することにより、屋根面に例えばＬ型材からなる足場などを容易に配設することができる。
【符号の説明】
【００４８】
１  下層材
１１  底部
１１１  水返し片
１１２〜１１５  ストッパ材
１２  起立部
１３  開口部
１４  レール材
１５  収納空間
１６  溝部
２  被覆（外装）材
２１  平板部
２２  側縁部
２３  取っ手（把持部）
２４  円板（駆動輪）
３  外装材
３１  面板部
３２  立ち上がり部
３２１  係合部
３２２  載置部分
３２３  溝部
３３  第一の空間
３４  第二の空間
４  保持部材
４Ａ  フレーム材
４Ｂ  固定材
４１  保持部
４１１  受溝部
４１２  受部分
４１３  被係合部
４２  起立部
４３  第１取付部
４４  被係合部
４５  添接片
４６  第２取付部
４７  係合部
４８  押し下げ部分
５  キャップ材
５１  覆い部
５２  嵌合保持部
６  構造材
７  特殊（外装）材
７１  平板部
７２  側縁部
８Ａ，８Ｃ  上部保持部材
８Ｂ  下部保持部材
９  カバー材
９１  固定具
【図１】
0005294221.tif 000002
【図２】
0005294221.tif 000003
【図３】
0005294221.tif 000004
【図４】
0005294221.tif 000005
【図５】
0005294221.tif 000006
【図６】
0005294221.tif 000007
【図７】
0005294221.tif 000008
【図８】
0005294221.tif 000009
【図９】
0005294221.tif 000010
【図１０】
0005294221.tif 000011